(57)【要約】【課題】筆記具やハサミ等の取り扱いが難しい人であっても、容易に絵画アートを制作して楽しむことができる型抜き絵アート制作キットを提供する。【解決手段】下絵１と、下絵と同形状に形成されて下絵に重ね合わせられる型台紙２とを備え、型台紙１は、絵を構成する形象が閉曲線３で囲まれた中抜き部４によって表され、閉曲線は、表裏面に貫通するとともに１以上の連結部５によって不連続とされた切断線６によって構成され、かつ連結部５は、中抜き部４を面外方向に押圧することにより切断されて中抜き部４を型台紙１から離脱させる強度に形成されるとともに、下絵２は、型台紙を重ね合わせた状態において閉曲線３内の上記形象に対応する位置に、当該形象の色の着色が施されている。【選択図】図３
2018015959.tif 000002
【特許請求の範囲】
【請求項１】
下絵と、この下絵と同形状に形成されて上記下絵に重ね合わせられる型台紙とを備え、
上記型台紙は、絵を構成する形象が閉曲線で囲まれた中抜き部によって表され、上記閉曲線は、表裏面に貫通するとともに１以上の連結部によって不連続とされた切断線によって構成され、かつ上記連結部は、上記中抜き部を面外方向に押圧することにより切断されて当該中抜き部を上記型台紙から離脱させる強度に形成されるとともに、
上記下絵は、上記型台紙を重ね合わせた状態において上記閉曲線内の上記形象に対応する位置に、当該形象の色の着色が施されていることを特徴とする型抜き絵アート制作キット。
【請求項２】
上記下絵における着色の少なくとも一部には、上記型台紙の上記閉曲線に対応した位置に、上記形象の輪郭線が表されていないことを特徴とする請求項１に記載の型抜き絵アート制作キット。
【発明の詳細な説明】
【技術分野】
【０００１】
本発明は、幼児から高齢者に至るまで、容易に型抜き絵のアートを自作することができる型抜き絵アート制作キットに関するものである。
【背景技術】
【０００２】
近年における高齢者人口の増加に伴い、老人ホーム、介護施設あるいはデイサービス等の通所介護施設においては、脳や体を活性化することにより、老化を遅らせたり、認知症を予防したりする等の効果が期待される各種のレクリエーションが行われている。
【０００３】
このようなレクリエーションの一種として、手先を使うことで脳を活性化させようとする、ハサミや針と糸など道具を使った工作系のレクリエーションや、例えば下記特許文献１に見られるような切り絵や、クレヨンなどの筆記具を使った塗り絵等の絵画系のレクリエーションが広く行われている。
【０００４】
特に、上記絵画系のレクリエーションにあっては、完成した制作品が高齢者に達成感を与えるとともに、施設内や自宅に飾ったり、友人家族へプレゼントとしたりすることができるために、参加意欲を促進させるとともに、レクリエーション以外の時間の楽しみもできて、新たな趣味の範囲を広げることができるという効果も期待できる。
【０００５】
しかしながら、特に上記高齢者のうちには、手の障害や握力の低下等の老化現象によって、切り絵を制作するためのハサミの操作や、塗り絵等を行うための筆記具の取り扱いが難しくなっている人が増加しており、より簡易な方法によって絵画系のレクリエーションを行うことが可能になるキットの開発が望まれている。
【先行技術文献】
【特許文献】
【０００６】
【特許文献１】特開２００１−３４７７９９号公報
【発明の概要】
【発明が解決しようとする課題】
【０００７】
本発明は、上記事情に鑑みてなされたものであり、筆記具やハサミ等の取り扱いが難しい人であっても、容易に絵画アートを制作して楽しむことができる型抜き絵アート制作キットを提供することを課題とするものである。
【課題を解決するための手段】
【０００８】
上記課題を解決するため、請求項１に記載の本発明に係る型抜き絵アート制作キットは、下絵と、この下絵と同形状に形成されて上記下絵に重ね合わせられる型台紙とを備え、上記型台紙は、絵を構成する形象が閉曲線で囲まれた中抜き部によって表され、上記閉曲線は、表裏面に貫通するとともに１以上の連結部によって不連続とされた切断線によって構成され、かつ上記連結部は、上記中抜き部を面外方向に押圧することにより切断されて当該中抜き部を上記型台紙から離脱させる強度に形成されるとともに、上記下絵は、上記型台紙を重ね合わせた状態において上記閉曲線内の上記形象に対応する位置に、当該形象の色の着色が施されていることを特徴とするものである。
【０００９】
また、請求項２に記載の発明は、請求項１に記載の発明において、上記下絵における着色の少なくとも一部には、上記型台紙の上記閉曲線に対応した位置に、上記形象の輪郭線が表されていないことを特徴とするものである。
【発明の効果】
【００１０】
請求項１または２に記載の発明においては、型台紙の中抜き部を、例えば鉛筆状の先細った棒状部材で面外方向に押圧すると、切断線を不連続にしている連結部がせん断されて当該中抜き部が型台紙から離脱し、上記閉曲線内が開口する。そして、上記操作を全ての中抜き部に対して行って、中抜き部を離脱させると、絵を構成する形象部分が全て開口部になる。
【００１１】
そこで、この型台紙を下絵の上に重ね合わせると、下絵には、型台紙の上記閉曲線内の形象に対応する位置に、当該形象の色の着色が施されているために、型台紙の開口部に上記着色が表れ、全体として着色された絵が完成する。
【００１２】
このように、本発明に係る型抜き絵アート制作キットによれば、例えば握力や腕筋肉の低下等によって筆記具の取り扱いが難しく、またハサミ等が操作できない高齢者や幼児等であっても、容易に絵画アートを制作して楽しむことができる。
【００１３】
また、請求項２に記載の発明によれば、下絵における着色の少なくとも一部には、型台紙の閉曲線に対応した位置に上記形象の輪郭線が表されていないために、事前に下絵のみを見ても、完成後の絵の形象を判別することができない。これにより、型台紙と組み合わせたときに初めて絵の形象とその着色を鑑賞することができるために、意外性や制作の楽しさを一層向上させることができる。
【図面の簡単な説明】
【００１４】
【図１】本発明の一実施形態における型台紙を示す平面図である。
【図２】上記一実施形態における下絵を示す平面図である。
【図３】図１の型台紙の中抜き部を離脱させている状態を示す斜視図である。
【図４】図１の型台紙の全ての中抜き部を離脱させた後の型台紙を示す平面図である。
【図５】図４の型台紙と下絵を重ねた状態を示す平面図である。
【図６】図５の重ねた型台紙と下絵を額縁に収めた状態を示す斜視図である。
【発明を実施するための形態】
【００１５】
以下、図１〜図６に基づいて、本発明に係る型抜き絵アート制作キットの一実施形態について説明する。
この制作キットは、図１に示す型台紙１と、図２に示す下絵２とから概略構成されたもので、型台紙１および下絵２は、同じ外形寸法の長方形に形成されている。
【００１６】
そして、型台紙１は、厚紙またはプレスチックの薄板からなるもので、絵を構成する形象が閉曲線３で囲まれた中抜き部４によって表されている。ここで、各々の閉曲線は、図３に拡大して示すように、レーザー加工等によって、表裏面に貫通するとともに１以上の連結部５によって不連続とされた切断線６によって構成されている。
【００１７】
ちなみに、上記連結部５は、制作者が、先細った棒状部材Ｂによって中抜き部４を面外方向に押し出した際に、せん断により切断される強度および設置箇所に設定されている。
【００１８】
他方、下絵２の表面には、型台紙１を重ね合わせた状態において、閉曲線３内の形象に対応する位置に、当該形象の色の着色が施されている。ここで、下絵２における着色は、型台紙１を重ね合わせた際に、閉曲線３内に形象の色が表れれば十分であることから、少なくとも一部には、型台紙１の閉曲線３に対応した形象の輪郭線が表現されていない。
【００１９】
次に、図３〜図６に基づいて、上記制作キットを用いた型抜き絵アートの制作方法について説明する。
先ず、図３に示すように、型台紙１の中抜き部４を、鉛筆状の先細った棒状部材Ｂで面外方向に押圧する。これにより、中抜き部４を画成する切断線６を不連続にしている連結部５がせん断されて、この中抜き部４が型台紙１から離脱し、閉曲線３内が開口する。
【００２０】
そして、上記操作を全ての中抜き部４に対して行って、これらの中抜き部４を離脱させると、図４に示すように、絵を構成する形象部分が全て開口部になる。
【００２１】
そこで次に、この型台紙１を図２に示した下絵２に重ね合わせると、図５に示すように、開口している閉曲線３内の形象に対応する位置に、下絵２に着色されている上記形象の色が表れ、全体として着色された絵が完成する。
【００２２】
このように、上記構成からなる型抜き絵アート制作キットによれば、例えば握力や腕筋肉の低下等によって筆記具の取り扱いが難しく、またハサミ等が操作できない高齢者や幼児等であっても、容易に絵画アートを制作して楽しむことができる。
【００２３】
この際に、下絵２における着色の少なくとも一部には、型台紙１の閉曲線３に対応した位置に絵の形象の輪郭線が表されていないために、事前に下絵２のみを見ても、完成後の絵の形象を判別することができず、型台紙１と組み合わせたときに初めて絵の形象とその着色を鑑賞することができるために、意外性や制作の楽しさを一層向上させることができる。
【００２４】
この結果、完成した制作品が高齢者に達成感を与えるとともに、図６に示すように、重ね合わせた型台紙１および下絵２を絵画用額縁やフォトフレーム７等に入れて、施設内や自宅に飾ったり、友人家族へプレゼントとしたりすることができ、この結果参加意欲を促進させたり、あるいは新たな趣味の範囲を広げることもできる。
【符号の説明】
【００２５】
１  型台紙
２  下絵
３  閉曲線
４  中抜き部
５  連結部
６  切断線
【図１】
2018015959.tif 000003
【図２】
2018015959.tif 000004
【図３】
2018015959.tif 000005
【図４】
2018015959.tif 000006
【図５】
2018015959.tif 000007
【図６】
2018015959.tif 000008